(57)【要約】【課題】締め付け停止位置にてねじ体を座金に係合させ、完全なねじ体の緩み止めを行うことができる緩み止めねじを得る。【解決手段】頭部２１付きのねじ体２と、ねじ体２の頭部２１とねじ部２２との間に回転可能に介在される角形状の座金３とからなる。ねじ体２における頭部２１の外周にフランジ部２４を一体に設け、フランジ部２４の４ヶ所に等間隔をおいて弾性を有しかつ頭部２１下面よりも下方に突出する係合凸起部２５…２５を成型により一体に設ける。座金３の上面４ヶ所に等間隔をおいて上記係合凸起部２５…２５が入る係合溝３２…３２を成型により設け、ねじ体２の締め付け停止時に上記係合凸起部２５…２５を係合溝３２…３２に係合させることによりねじ体２が座金３により緩み止めするように構成した。【選択図】図６
0003166497.tif 000002
【実用新案登録請求の範囲】
【請求項１】
頭部２１付きのねじ体２と、ねじ体２の頭部２１とねじ部２２との間に回転可能に介在される角形状の座金３とからなり、ねじ体２における頭部２１の外周にフランジ部２４が一体に設けられ、かつ、このフランジ部２４の４ヶ所に等間隔をおいて弾性を有しかつ頭部２１下面よりも下方に突出する係合凸起部２５…２５が成型により一体に設けられている一方、座金３の上面４ヶ所に等間隔をおいて上記係合凸起部２５…２５が入る係合溝３２…３２が成型により設けられ、ねじ体２の締め付け停止時に上記係合凸起部２５…２５を係合溝３２…３２に係合させることによりねじ体２が座金３により緩み止めされるように構成されていることを特徴とする緩み止めねじ。
【請求項２】
座金３が、電気コネクター端子台４のめねじ部材７を有する方形状の端子締結用区画室６に回転不能に挿嵌される４角形状に形成されていることを特徴とする請求項１記載の緩み止めねじ。
【請求項３】
ねじ体２における頭部２１の形状が、六角、四角、ソケット、プラス、プラマイ、マイナス等任意に選択可能となっていることを特徴とする請求項１記載の緩み止めねじ。
【考案の詳細な説明】
【技術分野】
【０００１】  本考案は、主として配電盤などの電気コネクター端子台にリード線端子を締結する際に用いる緩み止めねじに関するものである。
【背景技術】
【０００２】  従来、たとえば配電盤の電気コネクター端子台は、区画壁により方形状を呈する多数の端子締結用区画室が形成され、その区画室の中央に通電部材からなるめねじ部材が配設される一方、このめねじ部材に座金を有する頭部付の締結ねじが螺合可能に設けられた構成となっている。【０００３】  そして、このコネクター端子台にリード線端子を締結する際には、まず、区画室の中央に位置するめねじ部材に対し締結ねじを緩めた状態に仮螺合しておき、次に、その締結ねじの頭部下面に位置する座金とめねじ部材との間にリード線端子のＵ字形先端部を差し込むと同時に、その先端部の凹所に締結ねじのねじ部を嵌まり込ませ、その後、締結ねじの締め付けにより座金を介してリード線端子をめねじ部材に押し付けて緩み止めを行ないながら締結するようになされている。
【考案の概要】
【考案が解決しようとする課題】
【０００４】  ところが、上記した構造の座金を有する締結ねじによれば、締結ねじの頭部で座金を介してリード線端子を単にめねじ部材に押し付け、その圧接抵抗だけで緩み止めを行うようにしたものであるから、締結後、振動や何らかの外力がかかった場合に座金と締結ねじとの間において緩み方向のすべり回転が生じ、締結ねじの緩みが発生するといった問題があった。【０００５】  特に、大型の配電盤の電気コネクター端子台にあっては、数千個のリード線端子が数千個の締結ねじにて締結されており、その際、締結ねじの緩み発生で端子不良を１、２個発生させても高価な設備が停止するといった大きな問題を有していた。【０００６】  そこで、本考案は、締め付け完了時ねじ体を座金に係合させ、ねじ体の緩み止めを確実に行うことができる緩み止めねじの提供を課題とする。
【課題を解決するための手段】
【０００７】  上記した問題を解決するため、本願の請求項１記載の考案は、頭部２１付きのねじ体２と、ねじ体２の頭部２１とねじ部２２との間に回転可能に介在される角形状の座金３とからなり、ねじ体２における頭部２１の外周にフランジ部２４が一体に設けられ、かつ、このフランジ部２４の４ヶ所に等間隔をおいて弾性を有しかつ頭部２１下面よりも下方に突出する係合凸起部２５…２５が成型により一体に設けられている一方、座金３の上面４ヶ所に等間隔をおいて上記係合凸起部２５…２５が入る係合溝３２…３２が成型により設けられ、ねじ体２の締め付け停止時に上記係合凸起部２５…２５を係合溝３２…３２に係合させることによりねじ体２が座金３により緩み止めされるように構成されていることを特徴とする。【０００８】  本願の請求項２記載の考案は、請求項１記載の座金３が、電気コネクター端子台４のめねじ部材７を有する方形状の端子締結用区画室６に回転不能に挿嵌される４角形状に形成されていることを特徴とする。【０００９】  本願の請求項３記載の考案は、請求項１記載のねじ体２における頭部２１の形状が、六角、四角、ソケット、プラス、プラマイ、マイナス等任意に選択可能となっていることを特徴とする。
【考案の効果】
【００１０】  本考案の緩み止めねじによれば、ねじ体２の締め付け完了時に、ねじ体２の頭部２１に設けた係合凸起部２５…２５を座金３の係合溝３２…３２に嵌り込ませて係合させるのであり、これにより、座金３によってねじ体２の緩み止めを確実に得ることができる。【００１１】  また、座金３を、電気コネクター端子台４のめねじ部材７を有する方形状の端子締結用区画室６に回転不能に装着される４角形状に形成すれば、その側面部が区画室６の区画壁５に当接して回り止めされることになる。これにより、ねじ体２の締め付け完了時に、ねじ体２の頭部２１に設けた係合凸起部２５…２５を座金３の係合溝３２…３２に嵌り込ませて係合させたとき、座金の区画室６に対する回転不能作用と相俟ってねじ体２が座金３により絶対に緩まない緩み止めねじが得られる。【００１２】  さらに、ねじ体２における頭部２１の形状としては、使用場所に応じて六角、四角、ソケット、プラス、プラマイ、マイナス形状などのものを自由に選択することができる。
【図面の簡単な説明】
【００１３】
【図１】本考案に係る緩み止めねじの正面図である。
【図２】同縦断面図である。
【図３】ねじ体の底面図である。
【図４】座金の平面図である。
【図５】締結直前の一部切欠正面図である。
【図６】締結後の一部切欠正面図である。
【図７】締結直前の一部切欠斜視図である。
【図８】別の実施形態の正面図である。
【考案を実施するための形態】
【００１４】  以下本考案の実施の形態を図に基づいて説明する。
【００１５】  図１〜図４は、本考案に係る緩み止めねじを示し、この緩み止めねじ１は、後述する配電盤などの電気コネクター端子台４にリード線端子８を締結する際に用いられる。緩み止めねじ１は、頭部２１付きのねじ体（プラスねじ）２と、ねじ体２の頭部２１とねじ部２２との間における首部２３に回転自由に設けられる四角形状の座金３とを備える。
【００１６】  ねじ体２における頭部２１の下部外周には環状のフランジ部２４が一体に設けられ、このフランジ部２４の４箇所に、等間隔をおいて弾性を有しかつ下方に突出する係合凸起部２５…２５が設けられている。この係合凸起部２５は、図１及び図３に示されているように、環状のフランジ部２４に半径方向に延びる切り目とこれに続いてフランジ部２４の基部に沿う切り目とを入れ、その両切り目における先端部分をへ字状に折り曲げ成型して、弾性を有しながら先端が下方に突出するように形成されている。このとき、フランジ部２４に設ける上記切り目は、係合凸起部２５…２５がねじ体２の締め付け回転方向とは反対側に位置するように入れられている。
【００１７】  また、座金３は、その中心部に挿通孔３１を有する一方、図２及び図４に示すようにその上面に上記係合凸起部２５…２５と係合する係合溝３２…３２が４箇所に設けられている。これにより、ねじ体２の締め付け完了寺に上記係合凸起部２５…２５を座金３の係合溝３２…３２に嵌り込ませて係合させることによりねじ体２が座金３によって緩み止めされるように構成されている。なお、座金３は、ねじ体２から抜け落ちることがないように、たとえば座金３の挿通孔３１の一部を縮径させてねじ体２のねじ部２２に対して小径となる首部２３部分に位置させるようにしてもよいし、また、ねじ体２から取り外せる構造であってもよい。
【００１８】  一方、配電盤の電気コネクター端子台４は、図５〜図７に示すように区画壁５により方形状を呈する多数の端子締結用区画室（図では１個に省略している。）６が形成され、その各区画室６の中央に通電部材からなるめねじ部材７が固設される一方、このめねじ部材７に座金３を備えた上記緩み止めねじ１が螺合自由に設けられた構成となっている。その場合、座金３は区画室６に回転不能に挿嵌される四角形状に形成されており、そのため、座金３の区画室６への挿嵌時には、座金３の側面部が区画室６の区画壁５に当接して回り止めされることになる。
【００１９】  次に、上記した緩み止めねじ１の作用について説明する。
【００２０】  図５及び図７に示すように、コネクター端子台４にリード線端子８を締結する際には、まず、ねじ部材７に対しねじ体２を緩めた状態に戻しておく。次に、そのねじ体２の首部２３に位置する座金３とめねじ部材７との間にリード線端子８のＵ字形先端部８１を差し込むと同時に、その先端凹所にねじ体２のねじ部２２を嵌まり込ませる。その後、図６に示すようにねじ体２の締め付けにより座金３を介してリード線端子８をめねじ部材７に押し付けて固定する。
【００２１】  そして、ねじ体２の締め付け完了時に、図６に示すようにねじ体２の係合凸起部２５…２５を座金３の係合溝３２…３２に嵌り込ませて係合させるのである。これにより、固定後、振動や何らかの外力がねじ体２にかかることがあっても、座金３とねじ体２との間において緩み方向にすべり回転が生じることはなく、ねじ体２の緩み止めを確実に行うことができる。
【００２２】  しかも、この際座金３はその側面部が区画室６の区画壁５に当接して回り止めされており、これにより、ねじ体２の頭部２１に設けた係合凸起部２５…２５を座金３の係合溝３２…３２に嵌り込ませて係合させたとき、座金３の区画室６に対する回転不能作用と相俟ってねじ体２が座金３により絶対に緩まない緩み止めねじが得られる。
【００２３】  なお、ねじ体２の締め付け時においてねじ体２の係合凸起部２５…２５が座金３の係合溝３２…３２に嵌り込むことになるけれども、係合凸起部２５…２５はフランジに切り目を入れて弾性を有するように形成されていると共に、その切り目における締め付け回転方向とは反対側先端部分がへ字状に折り曲げられて成型されたものであるから、係合凸起部２５…２５の先端部は、ねじ体２の緩み方向に対しては、係合溝３２…３２に強固に係合するけれども、締め付け方向に対しては、その弾性を利用して係合溝３２…３２から容易に上方に浮き上がって逃げることができる構造となっており、締め付け操作において支障をきたすことはない。
【００２４】  上記した実施の形態では、ねじ体２としてプラスねじを用いたものについて説明したけれども、たとえば図８に示すように六角頭部２１ａを有するねじ体２であってもよい。その場合にも、六角頭部２１ａの下部外周に、前述した実施の形態と同様に環状のフランジ部２４を一体に設け、このフランジ部２４の４箇所に、等間隔をおいて弾性を有しかつ下方に突出する係合凸起部２５…２５を設ければよい。その他、頭部２１の形状としては、たとえば四角、ソケット、プラマイ、マイナスなどであってもよいこと勿論である。また、これら各種のねじ体２に対して上記座金３をそれぞれに装着可能な共通部品として用いてもよい。さらに、上記した実施の形態では、コネクター端子台４にリード線端子８を締結する際に、本案の緩み止めねじ１を用いたものについて説明したけれども、コネクター端子台４以外に用いてもよいこと勿論である。
【符号の説明】
【００２５】１        緩み止めねじ
２        ねじ体
３        座金
４        電気コネクター端子台
５        区画壁
６        区画室
７        めねじ部材
８        リード線端子
２１      頭部
２２      ねじ部
２４      フランジ部
２５      係合凸起部
３２      係合溝
【図１】
0003166497.tif 000003
【図２】
0003166497.tif 000004
【図３】
0003166497.tif 000005
【図４】
0003166497.tif 000006
【図５】
0003166497.tif 000007
【図６】
0003166497.tif 000008
【図７】
0003166497.tif 000009
【図８】
0003166497.tif 000010